(57)【要約】      （修正有）【課題】構成、製造および使用が極めて簡便なズボン留め具を提供する。【解決手段】ズボン留め具１０は、伸縮性の素材を少なくとも一部に用いた伸縮性ベルト１と、少なくとも一つの挿通穴２１を備えるボタン形状留め具２とを含み、伸縮性ベルト１は、ボタン形状留め具２の挿通穴２１に挿通されて結合されることによりボタン形状留め具２と一体化されているとともに、少なくともボタン形状留め具２とは反対側の端にループ１２が形成されていて、従来のズボン留め具のようにベルト部分と接合部分とを縫製するなどの手間が必要なく、構成、製造および使用が極めて簡便なズボン留め具１０を提供でき、このズボン留め具１０は、長さの調整が容易であるため、子供から大人まで幅広く利用することができる。【選択図】図１
0003226020.tif 000002
【実用新案登録請求の範囲】
【請求項１】
伸縮性の素材を少なくとも一部に用いた伸縮性ベルトと、
少なくとも一つの挿通穴を備えるボタン形状留め具と、を含み、
前記伸縮性ベルトは、前記ボタン形状留め具の前記挿通穴に挿通されて結合されることにより前記ボタン形状留め具と一体化されているとともに、少なくとも前記ボタン形状留め具とは反対側の端にループが形成されている
ことを特徴とするズボン留め具。
【請求項２】
前記伸縮性ベルトは、前記ボタン形状留め具の前記挿通穴に挿通された一端と、前記ボタン形状留め具とは反対側に前記ループを形成した他端とが結合されて輪状を成している
ことを特徴とする請求項１記載のズボン留め具。
【考案の詳細な説明】
【技術分野】
【０００１】
この考案は、ズボンを途中まで脱いでも、ズボンの裾が床面に接触して汚れないようにするズボン留め具に関するものである。
【背景技術】
【０００２】
従来から、ズボンをはいている場合にトイレで用をたす際など、着用しているズボンを途中まで脱いだときに、ズボンの裾が床面に接触して汚れないようにするための手法が種々考案されているが、ズボンの裾をあらかじめ折り曲げたり、ズボンを押さえ続けたりすることは、特に子供や女性にとってはとても大変である。
【０００３】
そこで、ズボンを途中まで脱いだ状態を容易に保つことができるような、様々なタイプのズボン留め具が考案されてきた。例えば、特許文献１および特許文献２には、伸縮性ベルトを大腿部に巻着し、面ファスナーやバックルで脱着自在にして使用するズボン留め具が記載されている。また、特許文献３には、伸縮性ベルトを脚部に８の字型に巻着し、前かん（カギホック）で脱着自在にして使用するズボン留め具が記載されている。
【先行技術文献】
【特許文献】
【０００４】
【特許文献１】特開２００１−１８１９２０号公報
【特許文献２】実用新案公報第３０２４３９７号
【特許文献３】実用新案公報第３０６８６４６号
【考案の概要】
【考案が解決しようとする課題】
【０００５】
しかしながら、例えば特許文献１〜特許文献３等に記載されている従来のズボン留め具は、伸縮性素材を用いたベルト部分と、面ファスナー、バックルまたは前かん（カギホック）などを用いた接合部分と、を十分な強度で固着できるように縫製する必要があり、手間とコストがかかる、という課題があった。
【０００６】
この考案は、上記のような課題を解決するためになされたものであり、構成、製造および使用が極めて簡便なズボン留め具を提供することを目的とする。
【課題を解決するための手段】
【０００７】
上記目的を達成するため、この考案にかかるズボン留め具は、伸縮性の素材を少なくとも一部に用いた伸縮性ベルトと、少なくとも一つの挿通穴を備えるボタン形状留め具と、を含み、前記伸縮性ベルトは、前記ボタン形状留め具の前記挿通穴に挿通されて結合されることにより前記ボタン形状留め具と一体化されているとともに、少なくとも前記ボタン形状留め具とは反対側の端にループが形成されていることを特徴とする。
【考案の効果】
【０００８】
この考案のズボン留め具によれば、構成、製造および使用が極めて簡便なズボン留め具を提供することができる。また、このズボン留め具は、長さの調整が容易であるため、子供から大人まで幅広く利用することができる。
【図面の簡単な説明】
【０００９】
【図１】この考案にかかるズボン留め具の一例を示す全体図である。
【図２】この考案にかかるズボン留め具の別の例を示す全体図である。
【図３】この考案の図１に示すズボン留め具１０を使用者が装着する様子を示した図である。
【図４】この考案の図１に示すズボン留め具１０を使用者が装着し終えた状態を示した図である。
【図５】この考案の図１に示すズボン留め具１０によってズボンが押止されている様子を示した図である。
【考案を実施するための形態】
【００１０】
以下、この考案の実施の形態について、図面を参照しながら詳細に説明する。
図１は、この考案にかかるズボン留め具の一例を示す全体図である。また、図２は、この考案にかかるズボン留め具の別の例を示す全体図である。図３は、図１に示すズボン留め具１０を使用者が装着する様子を示した図である。図４は、図１に示すズボン留め具１０を使用者が装着し終えた状態を示した図である。図５は、図１に示すズボン留め具１０を装着したことにより、ズボンが大腿部に押止されている様子を示した図である。
【００１１】
図１，図２を用いて、ズボン留め具１０，２０の構造、製造方法および使用方法について説明する。
まず初めに、ズボン留め具１０，２０の構造について説明する。
図１，図２に示すように、ズボン留め具１０，２０は、伸縮性ベルト１と、ボタン形状留め具２を備える。
【００１２】
伸縮性ベルト１は、伸縮性を有する素材（典型的にはゴム）を使用した、両端を有する紐または帯体である。伸縮性ベルト１は、伸長時、使用者の大腿部の外周の２倍程度の長さとなることが好ましい。なお、伸縮性を有する素材は、当該紐または帯体の外周すべてに用いる必要はなく、当該紐または帯体の一部にのみ用いてもよい。また、伸縮性ベルト１は、デザイン性の高い糸やビーズなどで被覆または装飾されていてもよい。
【００１３】
ボタン形状留め具２は、例えば、樹脂、金属、木等を材料とするボタン形状留め具であり、少なくとも一つの挿通穴２１を備える。挿通穴２１は、ボタン形状留め具２に直接開けられていてもよく、ボタン形状留め具２に設けられた脚部（図示せず）に開けられていてもよい。図１では、ボタン形状留め具２に直接穿孔された２つの挿通穴２１に、伸縮性ベルト１を通した例を示している。なお、ボタン形状留め具２は、既存のいわゆるシャンクボタン、くるみボタン、またはトグルボタンなどのデザイン性の高いボタンであってもよい。
【００１４】
続いて、ズボン留め具１０の製造方法について、図１を用いて説明する。
まず初めに、伸縮性ベルト１の一端をボタン形状留め具２の挿通穴２１に挿通する。次に、ズボン留め具１０の場合には、伸縮性ベルト１の両端を結び合わせて結合部１１を形成する。このように結合されることにより、伸縮性ベルト１は輪状となり、ボタン形状留め具２と一体化されるとともに、ボタン形状留め具２とは反対側の端にループ１２が形成される。
【００１５】
このとき、図１に示すように、例えば、本結びのように十分な強度があり、かつ簡単に解くことのできる結び方を採用すれば、輪状の伸縮性ベルト１の外周長を容易に調節できるので、大腿部の外周の個人差にも対応することができる。これにより、子供から成人までが同じズボン留め具１０を利用することが可能である。なお、図１では、結合部１１はボタン形状留め具２とループ１２との間に形成されているが、どの位置にあってもよいことは言うまでもない。
【００１６】
また、図１に示すように、伸縮性ベルト１が輪状を成しているズボン留め具１０の場合には、伸縮性ベルト１が比較的細い弾力素材であっても、ズボン留め具１０を使用した場合に強すぎずに締まるので、快適に使用することができるというメリットもある。
【００１７】
なお、伸縮性ベルト１の両端に接合金具等をあらかじめ取り付けておき、これらの接合金具等を係合させることにより、伸縮性ベルト１を輪状に形成してもよい。この際、輪状の伸縮性ベルト１の外周長を調節する機構を有する接合金具等を採用すれば、大腿部の外周の個人差に対応することができる。
【００１８】
同様に、ズボン留め具２０の製造方法について、図２を用いて説明する。
ズボン留め具２０についても、まず初めに、伸縮性ベルト１の一端をボタン形状留め具２の挿通穴２１に挿通する。次に、図２（ａ）に示すように、挿通穴２１に挿通した伸縮性ベルト１の一端を元の伸縮性ベルト１に結び合わせて結合部１１を形成する。このように結合されることにより、伸縮性ベルト１はボタン形状留め具２と一体化される。
【００１９】
また、図２（ａ）に示すように、ボタン形状留め具２とは反対側の端にループ１２が形成されるように、伸縮性ベルト１の他端を結び合わせて結合部１３を形成する。これにより、ループ１２が形成される。この結合部１３を形成する際に、例えば、本結びのように十分な強度があり、かつ簡単に解くことのできる結び方を採用すれば、輪状の伸縮性ベルト１の外周長を容易に調節できるので、大腿部の外周の個人差にも対応することができる。これにより、子供から成人までが同じズボン留め具２０を利用することが可能である。
【００２０】
さらに、図２（ｂ）に示すように、複数のループ１２が形成されるように結び合わせたり、図２（ｃ）に示すように、複数のボタン形状留め具２を結合させるようにすれば、伸縮性ベルト１の外周長を容易に調節できるので、同様に、大腿部の外周の個人差にも対応することができる。これにより、子供から成人までが同じズボン留め具２０を利用することが可能である。
【００２１】
最後に、ズボン留め具１０の使用方法について説明する。
図１に示すように、輪状になった伸縮性ベルト１には、ボタン２の対向側にループ１２が形成される。使用者は、ズボンを履いた状態で、伸長させたズボン留め具１０を大腿部に巻き着け、ボタン２とループ１２とを係合させる。すると、伸縮性ベルト１の復元力（収縮力）によってズボンが大腿部に押止される。これにより、ズボンの裾が床面に接触することを防止できる。
【００２２】
図３は、この考案の図１に示すズボン留め具１０を使用者が装着する様子を示した図である。
使用者は、例えばトイレを使用する前に、ズボンを留め置きたい大腿部の位置における外周に、伸縮性ベルト１を巻き着ける。このとき、使用者が起立した状態であれば、図２に示すように、片方の手の指でボタン２を大腿部前面に固定しつつ、他方の手で伸縮性ベルト１を片方の足の大腿部に巻き着けて、ループ１２をボタン２に引っ掛ける。
もう片方の足の大腿部にも、同様の手順でズボン留め具１０を装着する。
【００２３】
図４は、この考案の図１に示すズボン留め具１０を使用者が装着し終えた状態を示した図である。
図２に示す手順で使用者がズボン留め具１０を右足、左足それぞれに装着したことにより、図４に示すとおり、それぞれの足の大腿部の所望の位置にズボン留め具１０が巻着されており、伸縮性ベルト１が有する適度な復元力でズボンが大腿部に押止されている。
【００２４】
図５は、この考案の図１に示すズボン留め具１０を装着したことによりズボンが大腿部に押止されている様子を示した図である。
図５に示すとおり、大腿部の所望の位置にズボン留め具１０が巻着されており、伸縮性ベルト１が有する適度な復元力でズボンが大腿部に押止されているため、トイレの際などにズボンをおろしても、ズボン留め具１０より下方にズボンがずり下がることはない。したがって、ズボンの裾が床面に接触して汚れてしまうことを防止できる。
【００２５】
このように、この考案にかかるズボン留め具１０，２０は、従来のズボン留め具のようにベルト部分と接合部分とを縫製するなどの手間が必要なく、軽量でコンパクトなものであり、構成、製造および使用が極めて簡便な上に、ボタン形状留め具２を使用していることにより、従来のズボン留め具のような面ファスナー、バックルまたは前かん（カギホック）などを用いた接合部分を有していないため、装着した際に外れにくく、強力に把持することができるだけでなく、盲目的に操作しても、使用時に何か（ストッキングや周辺の突起物、生地、皮膚など）に引っかかることがなく、また、収納に際しても何かにひっかかって損傷することがない。
【００２６】
以上のように、この実施の形態によれば、従来のズボン留め具のようにベルト部分と接合部分とを縫製するなどの手間が必要なく、構成、製造および使用が極めて簡便なズボン留め具１０を提供することができる。また、このズボン留め具１０は、長さの調整が容易であるため、子供から大人まで幅広く利用することができる。
【００２７】
なお、本願考案はその考案の範囲内において、実施の形態の任意の構成要素の変形、もしくは実施の形態の任意の構成要素の省略が可能である。
【符号の説明】
【００２８】
１    伸縮性ベルト
２    ボタン形状留め具
１０，２０  ズボン留め具
１１，１３  結合部
１２  ループ
２１  挿通穴
【図１】
0003226020.tif 000003
【図２】
0003226020.tif 000004
【図３】
0003226020.tif 000005
【図４】
0003226020.tif 000006
【図５】
0003226020.tif 000007